(57)【要約】  本発明は、ゴールスポーツおよびネットスポーツの複数の異なるフィールドからなるマルチスポーツスペース（２０）に関するものであり、垂直壁（２２）によって区切られるゴールスポーツ用の第１の正方形または長方形エリア（２１）を備え、当該第１のゴールスポーツエリア（２１）は、ゴールが垂直であり、地面から延在するゴールスポーツフィールド（２３）と、ゴールが水平であり、所定の高さに配置されるゴールスポーツフィールド（２４）と、を有する。垂直壁（２２）のパネルは、垂直壁（２２）のパネルのいずれの側にも配置される複数のネットスポーツフィールド（２５）のネットを形成する。パネルのそれぞれの埋め込み軸から導かれるパネルの延長部（２６）も、ネットスポーツフィールド（２５）のネットを形成する。【選択図】図１
2020527086.tif 000002
【特許請求の範囲】
【請求項１】
ゴールスポーツおよびネットスポーツに同時に使用することができる複数の異なるピッチを備えるマルチスポーツ複合施設（２０）であって、
−前記マルチスポーツ複合施設は、垂直壁（２２）によって区切られる第１の正方形または長方形ゴールスポーツエリア（２１）を備え、前記第１のゴールスポーツエリア（２１）は、前記ゴールが垂直であり、地面を起点とするゴールスポーツ用ピッチ（２３）と、前記ゴールが水平であり、ある高さに位置決めされるゴールスポーツ用ピッチ（２４）と、を備え、
−前記第１のゴールスポーツエリア（２１）を取り囲む前記垂直壁（２２）のセクションは、ネットを越えて、ネットスポーツ投擲体を通過させる必要がある複数のネットスポーツピッチ（２５）のネットを形成し、前記ネットスポーツピッチ（２５）は、前記垂直壁（２２）の前記セクションのいずれの側にも配置され、
−前記第１のゴールスポーツエリア（２１）の少なくとも１つの隅角の領域では、前記２つのセクションが、２つの直交軸線に従って設定されて前記隅角を形成し、各隅角は、前記隅角のそれぞれの設定された軸線の延長部にセクション延長部（２６）を含み、前記延長部（２６）は、前記隅角から前記第１のゴールスポーツエリア（２１）の外側に向かって続いており、
−各セクション延長部（２６）は、ネットを越えて、ネットスポーツ投擲体を通過させる必要がある少なくとも１つのネットスポーツピッチのネットを形成し、前記少なくとも２つのネットスポーツピッチ（２５）がこのようにして、直交軸線に沿って延在するように形成されることを特徴とする、マルチスポーツ複合施設（２０）。
【請求項２】
−前記第１のゴールスポーツエリア（２１）の少なくとも２つの連続する隅角の領域では、前記２つの壁セクションは、２つの直交軸線に従って設定されて各隅角を形成し、各隅角は、前記隅角のそれぞれの設定された軸線の延長部に、前記隅角から前記第１のゴールスポーツエリア（２１）の外側に向かって続いているセクション延長部（２６）を含み、
−前記２つの連続する隅角の各々について、各セクション延長部（２６）は、ネットを越えて、ネットスポーツ投擲体を通過させる必要がある少なくとも１つのネットスポーツピッチのネットを形成し、前記少なくとも２つのネットスポーツピッチ（２５）がこのようにして、直交軸線に沿って延在するように形成され、
−相互に平行である前記２つの連続する隅角の前記セクション延長部（２６）は、前記ゴールが垂直であり、地面を起点とするゴールスポーツ用ピッチ（２３）と、前記ゴールが水平であり、ある高さに位置決めされるゴールスポーツ用ピッチ（２４）と、を含む、追加の正方形または長方形ゴールスポーツエリア（２７）の２つの対向する制限部をさらに形成する、請求項１に記載のマルチスポーツ複合施設（２０）。
【請求項３】
−前記第１のゴールスポーツエリア（２１）の各隅角の領域では、前記２つの壁セクションは、２つの直交軸線に従って設定されて前記隅角を形成し、各隅角は、前記隅角のそれぞれの設定された軸線の延長部に、前記隅角から前記第１のゴールスポーツエリア（２１）の外側に向かって続いているセクション延長部（２６）を含み、
−各隅角について、各セクション延長部（２６）は、ネットを越えて、ネットスポーツ投擲体を通過させる必要がある少なくとも１つのネットスポーツピッチのネットを形成し、前記少なくとも２つのネットスポーツピッチ（２５）がこのようにして、直交軸線に沿って延在するように形成され、
−相互に平行である連続する隅角の各対の前記セクション延長部（２６）は、前記ゴールが垂直であり、地面を起点とするゴールスポーツ用ピッチ（２３）と、前記ゴールが水平であり、ある高さに位置決めされるゴールスポーツ用ピッチ（２４）と、を含む、追加の正方形または長方形ゴールスポーツエリア（２７）の２つの対向する制限部をさらに形成する、請求項１に記載のマルチスポーツ複合施設（２０）。
【請求項４】
各壁セクションについて、前記壁セクションにより形成される前記ネットまたはネット群、および前記壁セクションの前記延長部（２６）により形成される前記ネット群は、複数の同一ネットスポーツピッチ（２５）を平行に、同じ軸線方向に設定すること、およびひいては、同じスポーツを前記同一ネットスポーツピッチ（２５）で同時に練習することを可能にするために、地面に対して同じ高さに上縁部を有する、請求項２または請求項３のいずれかに記載のマルチスポーツ複合施設（２０）。
【請求項５】
前記第１のゴールスポーツエリア（２１）の第１の垂直壁（２２）セクションにより形成される前記ネットまたはネット群の前記上縁部は、前記第１のセクションと直交する前記第１のゴールスポーツエリア（２１）の第２の垂直壁（２２）セクションにより形成される前記ネットまたはネット群の前記上縁部の地面に対する高さとは異なる地面に対する高さにあり、前記異なる高さは、異なるネットスポーツの練習に好適である、請求項１〜４のいずれかに記載のマルチスポーツ複合施設（２０）。
【請求項６】
隅角を前記セクション延長部（２６）が起点とする前記第１のゴールスポーツエリア（２１）の各隅角について、前記隅角を起点とするセクション延長部（２６）により形成される前記ネットは、同じ隅角を起点とする他方のセクション延長部（２６）により形成される前記ネットの前記上縁部の地面に対する高さとは異なる地面に対する高さにある上縁部を有し、前記異なる高さは、異なるネットスポーツの練習に好適である、請求項１〜５のいずれかに記載のマルチスポーツ複合施設（２０）。
【請求項７】
前記第１のゴールスポーツエリア（２１）および／または前記セクション延長部（２６）を取り囲む前記垂直壁（２２）の前記セクションは、下側部分において高剛性であり、上部を可撓性部分で覆われる、請求項１〜６のいずれかに記載のマルチスポーツ複合施設（２０）。
【請求項８】
各垂直壁（２２）セクションおよび各延長部（２６）は、以下の要素：
−垂直の、開口された、もしくは中実だが透明の壁または膜、
−金属からなる、または任意の他の材料からなるワイヤを有する天然繊維もしくは合成繊維、外装繊維もしくは非外装繊維で構成される格子、
−合成材料からなる被覆材で保護されていても、または保護されていなくてもよい、金属または任意の他の材料からなるケーブル、ロッド、または輪郭部で構成される格子、
のうち１つの要素、または前記要素のうち少なくとも２つの要素の混合物により形成される、請求項１〜７のいずれかに記載のマルチスポーツ複合施設（２０）。
【請求項９】
前記垂直壁（２２）の前記セクションの前記延長部（２６）は、異なる長さである、請求項１〜８のいずれかに記載のマルチスポーツ複合施設（２０）。
【請求項１０】
前記地面は、「ビーチスポーツ」練習用の砂のような緩和材料により形成される、請求項１〜９のいずれかに記載のマルチスポーツ複合施設（２０）。
【発明の詳細な説明】
【技術分野】
【０００１】
本発明は、スポーツ分野に関するものであり、複数のスポーツを練習するための複合施設の装備に関する。
【０００２】
本発明は、ボール、シャトルコック、輪投げで競技する、または任意の他の投擲競技を行う複数の個人（１対１）または集団（１チーム対別チーム）の対戦スポーツの練習用のピッチ、特にレジャー用のピッチからなる、ゴールスポーツおよびネットスポーツを行うためのマルチスポーツ複合施設に関するものである。
【背景技術】
【０００３】
先行技術
レジャー目的のマルチスポーツ用の地形、特に産業的に実現されるマルチスポーツ用の地形は、複数の機能に関連付けられ、セキュリティ問題にも関連付けられる。
【０００４】
フットボール、ハンドボール、またはバスケットボールの練習にも用いられるピッチ上で行われるバドミントン、テニス、またはバレーボールの練習は、ネットまたはさらにはポストの設置、撤去、および片付けがあるので困難を伴う場合にのみ可能であり、取り扱い、および保管の問題を伴う。多くの場合、重いポストの取り扱いは、ポストを取り扱う人たちに安全を脅かす危険をもたらす。さらに、上記の材料、特にネットは、破損の危険に晒される。
【０００５】
少人数制フットボールのピッチ、またはハンドボールピッチ、およびバスケットボールピッチの設定は、安全性または機能性の問題を伴う。実際、この構成では、バスケットボールゴール（パネルおよびリング）の少人数制フットボールまたはハンドボールのゴール（ケージ）を上回る必要な設定により、少人数制フットボールおよびハンドボールゴールの垂直方向に対するバスケットボールゴールのずれ余裕が小さくなり、バスケットボールプレーヤーがポストまたはゴールの水平バーと衝突する、またはボールを返すための壁、または壁の内部にゴールが、特にずれ余裕をより大きくしてバスケットボールプレーヤーの安全を確保するように切られる場合が多いが、フットボールまたはハンドボール競技スペースのボールの障害物を表す壁と衝突する危険を伴う。
【０００６】
複数の長方形ピッチを２つの異なる略直交する軸線方向に設定することはまた、安全上の問題が伴う。実際、競技または体育および伝統的なスポーツにおけるピッチの場合のように、ゴールが隔絶されて設定される場合、２つのピッチのうち１つのピッチの長手軸線の２つの端部に配置されるゴールは、他方のピッチの長手軸線に沿って競技するプレーヤーが衝突する危険を表している。ゴールが、特にボールを競技エリアに、アイスホッケーピッチを取り囲むレールに沿って返すために使用される壁に一体化される場合、異なる軸線方向に配置されるピッチを取り囲む壁（略十字形の）は、これらの壁の間で鋭角をなし、これにより、プレーヤーの安全を脅かす危険をさらに伴う。
【０００７】
さらに、長方形ピッチの実現は普通、レジャースポーツ活動に専念するプレーヤーの希望に対応していない。実際、長方形形状は、対向するゴールの距離が相対的に長くなり、これは、ボールを一方のゴールから他方のゴールに運ぶ（「ｂｒｉｎｇ  ｔｈｅ  ｂａｌｌ  ｕｐ（ボールを送り込む）」という通常の表現が明確である）ためのエネルギー消費を必要とする、および／またはフィールドプレーヤーを比較的特殊な持ち場（ディフェンス、パッサー、オフェンス）に配置する必要があるのに対し、特にレジャー用の練習の場合、プレーヤーは、競技に可能な限り参加したい、すなわち可能な限りボールに触れて、プレーヤーのエネルギーの大部分をボールに費やしたいと考える。
【０００８】
幾つかの特許は、新規ネットスポーツ用のオリジナルのピッチタイプを提案しているが、これらのピッチタイプにより、マルチスポーツ練習が行えず、これらのピッチタイプは、従来のネットスポーツに関して機能しない。
【０００９】
このようなことから、米国特許第３，４５２，９８５号（ＪＤ  ＺＭＵＲＡ  Ｃｏｒｎｅｌｉｕｓ）、および米国特許第４，１０８，４３４号（ＲＯＹＥＲ  Ｇｅｏｒｇｅ  Ｒｏｎａｌｄ）は、テーブルで競技が行われる競技、および卓球台で競技が行われる競技をそれぞれ提案しており、これらの競技は共に、３または４つのプレーヤーまたはチームが一緒に競技することができるような複数のネットを備える。各々が、準三角形または円弧の形をした競技エリアを有しているので、１対１または１チーム対別チームの従来のネットスポーツの練習は可能ではない。これらの特許が提案する競技テーブルにより、上記新規競技の練習、および上記新規卓球形式の練習のみが可能となる。
【００１０】
米国特許第４，５６９，５１５号（ＧＯＲＤＯＮ  Ｄｏｎａｌｄ  Ｗ）は、ボールをネットを越えないように、２つのネットの間の隙間を通過させる構造を提案している。しかしながら、当該構造は、２対２で競技する、または１対１の２つの試合で別々に競技してより大きなチームでは競技しない一緒に競技する４人のプレーヤーのためにのみ用いられる。さらに、この構造は、トランポリンのように跳ね返る、またはエアクッションにより跳ね返る競技面を備える。いずれにせよ、ネットの上側部分は同じ高さにあり、当該構造により、複数のネットスポーツを従来のルールに従って練習することはできない。
【００１１】
英国特許出願公開第２，４４８，９８９号（ＪＢ  Ｃｏｒｒｉｅ  ａｎｄ  Ｃｏｍｐａｎｙ  Ｌｔｄ）の場合、当該文書は、スポーツピッチを、緊張ネットにより、スポーツ用の、または他の用途の複数の小ピッチに分割するデバイスを提案している。しかしながら、当該ネットは、異なるピッチを分離するために用いられ、１つのピッチを２つの側に分離するスポーツネットとして使用されるために用いられるのではない。いずれにしても、同じ高さにあると、当該ネットによりマルチスポーツの練習を行えない。
【００１２】
欧州特許第２，５９１，８３０号（ＶＩＧＮＥＡＵ  Ｆｒａｎｃｏｉｓ−Ｅｍｍａｎｕｅｌ）は、ネットスポーツ用の複数の異なるピッチ、および２つの直交軸線上に配置されるネットからなるマルチスポーツ複合施設を開示しており、ネットスポーツとして、例えば２つの直交軸線に従って設定されるバドミントン、セパタクロー、バレーボール、テニス、フットテニス、またはさらにはパドルテニスがあり、各ピッチを２つの部分に分割する当該ネットが固定され、当該ネットの上縁部が、当該異なるスポーツの練習に好適な異なる高さにあって、複数のスポーツの練習、または複数のピッチにおける１種類のスポーツの練習を行うことができ、無事に行えると、１つ以上の他のスポーツの練習を行うことができる。この種類のマルチスポーツ複合施設は、ゴールスポーツの練習を可能にすることができない。
【００１３】
欧州特許第２，３８８，０５１号（ＶＩＧＮＥＡＵ  Ｆｒａｎｃｏｉｓ−Ｅｍｍａｎｕｅｌ）は、垂直壁で取り囲まれるピッチからなるマルチスポーツ複合施設を提案しており、複合施設は、少人数制フットボール、ハンドボール、および任意の他の形式のホッケーのような、ゴールが垂直であり、地面を起点とするスタンディングスポーツ用競技エリアと、ゴールスポーツピッチを取り囲む垂直壁のセクションが、ネットを越えて、バドミントン、セパタクロー、テニス、フットテニス、およびバレーボールのような複数のネットスポーツピッチのボールまたはシャトルコックを通過させる必要がある当該ネットを形成するバスケットボールのようなゴールが水平であり、ある高さに位置決めされるスタンディングスポーツ用競技エリアと、を備え、当該ネットスポーツピッチは、当該垂直壁のセクションのいずれの側にも配置される。中央ピッチを解放してゴールスポーツ用の競技エリアを収容するために、ネットとして作用する壁は、当該中央ピッチの周りに正方形に配置される。さらに、当該壁のいずれの側にも配置されるネットスポーツピッチは、当該壁の長手軸線に従って２つずつ揃えられる。このようなことから、マルチスポーツ複合施設は、ピッチを同時使用するために限られた収容能力を有する−１つのゴールスポーツピッチまたは最大で４つのネットスポーツピッチ−を有する。
【発明の概要】
【００１４】
発明の開示
先行技術のこれらの様々な不具合を克服するために、第１の態様によれば、本発明は、ゴールスポーツおよびネットスポーツに同時に使用することができる複数の異なるピッチを備えるマルチスポーツ複合施設に関するものであり、
−マルチスポーツ複合施設は、垂直壁によって区切られる第１の正方形または長方形ゴールスポーツエリアを備え、当該第１のゴールスポーツエリアは、ゴールが垂直であり、地面を起点とするゴールスポーツ用ピッチと、ゴールが水平であり、ある高さに位置決めされるゴールスポーツ用ピッチと、を含み、
−第１のゴールスポーツエリアを取り囲む垂直壁のセクションは、ネットを越えて、ネットスポーツ投擲体を通過させる必要がある複数のネットスポーツピッチのネットを形成し、当該ネットスポーツピッチは、垂直壁のセクションのいずれの側にも配置され、
−第１のゴールスポーツエリアの少なくとも１つの隅角の領域では、２つのセクションが、２つの直交軸線に従って設定されて当該隅角を形成し、各隅角は、セクション延長部を当該隅角のそれぞれの設定された軸線の延長部に含み、当該延長部は、当該隅角から第１のゴールスポーツエリアの外側に向かって続いており、
−各セクション延長部は、ネットを越えて、ネットスポーツ投擲体を通過させる必要がある少なくとも１つのネットスポーツピッチのネットを形成し、少なくとも２つのネットスポーツピッチがこのようにして、直交軸線に沿って延在するように形成される。
【００１５】
本発明は、本発明により、複数種類のゴールスポーツおよびネットスポーツの練習が、マルチスポーツ複合施設で可能になるという点で有利である。実施形態によれば、４種類の異なるスポーツ（水平ゴールを有するゴールスポーツ、垂直ゴールを有するゴールスポーツ、ネットスポーツＸ、およびネットスポーツＹ）の場合、このようなことから、マルチスポーツ複合施設を変更することなく、特に壁セクションにより形成されるネット、およびセクション延長部により形成されるネットを操作することなく、選択されるスポーツに応じて、最大で６つのピッチを同時に使用して、４種類の異なるスポーツを同時に練習することができ、選択されるスポーツに応じて、最大で７つのピッチを同時に使用して、２種類の、または３種類の異なるスポーツを同時に練習することができ、選択されるスポーツに応じて、最大で８つのピッチを同時に使用して、異なるスポーツのうち１種類のスポーツを練習することができる。同時に練習することができる異なるスポーツの種類数は、４種類に限定されない。実際、選択される第１の競技エリアの水平寸法、選択されるネットスポーツピッチの寸法、およびネットスポーツピッチ群の各々について各壁セクションにより形成され、各セクション延長部により形成されるネットについて選択される高さ（異なる可能性がある）に応じて、４種類よりも多くの異なるスポーツを同時に練習することが可能である。
【００１６】
好ましい実施形態によれば、本発明は、個別に実現される、または特徴の技術的に有効な組み合わせの各々において実現される以下の特徴にさらに適合する。
【００１７】
垂直壁セクションおよびセクション延長部はこのようにして、ネットスポーツピッチの競技ネットとして機能する。垂直壁セクションおよび／またはセクション延長部は、中実とすることができる、および／または開口することができる。垂直壁セクションおよびセクション延長部はさらに、高剛性および／または可撓性とすることができる。例えば、垂直壁セクションおよび／またはセクション延長部は、上部を可撓性部分で覆われる高剛性下側部分を有することができる。
【００１８】
特定の実施形態では、各壁セクションおよび各延長部は、以下の要素：
−垂直の、開口された、もしくは中実だが透明の壁または膜、
−金属からなる、または任意の他の材料からなるワイヤを有する天然繊維もしくは合成繊維、外装繊維もしくは非外装繊維で構成される格子、
−合成材料からなる被覆材で保護することができる、または保護されなくてもよい、金属または任意の他の材料からなるケーブル、ロッド、または輪郭部で構成される格子のうち１つの要素、または当該要素のうち少なくとも２つの要素の混合物により形成される。
【００１９】
壁セクションまたはセクション延長部は、例えば上部を合成繊維格子で覆われた高剛性下側部分を有する壁により形成することができる。
【００２０】
異なる壁セクションおよび異なる延長部は、異なるように形成することができる。
【００２１】
少人数制フットボール、ハンドボール、バスケットボール、足で競技する、または従来のローラスケートまたはローラブレードで競技する全ての方式のホッケーのようなゴールスポーツ用の第１のエリアはこのようにして、地面領域において、中実とすることができる、および／または開口することができ、ボールを競技エリアに返すために使用される垂直壁で取り囲まれる。少人数制フットボール、ハンドボール、または異なる方式のホッケーの垂直ゴールは、当該垂直壁に配置されて、競技者の安全を脅かす危険を表すことができる可能な限り少なく突出する部分を含むようにする。
【００２２】
第１のゴールスポーツエリアの人員容量に応じて、可能な安全規則に応じて、少なくとも１つの通路を垂直壁に配置して、第１のゴールスポーツエリアに入場することができるようにする必要がある。
【００２３】
特定の実施形態によれば、ゴールが垂直であり、地面を起点とする少人数制フットボール、ハンドボール、または全ての方式のホッケーのようなスポーツのピッチ、およびゴールが水平であり、ある高さにある、バスケットボールのようなスポーツのピッチは、同じ軸線方向に延在していないが、直交している。２つのピッチは、これらのピッチの表面の一部を共有する。
【００２４】
特定の実施形態では：
−第１のゴールスポーツエリアの少なくとも２つの連続する隅角の領域では、２つの壁セクションが、２つの直交軸線に従って設定されて各隅角を形成し、各隅角は、当該隅角から第１のゴールスポーツエリアの外側に向かって続いているセクション延長部を当該隅角のそれぞれの設定された軸線の延長部に含み、
−２つの連続する隅角の各々について、各セクション延長部は、ネットを越えて、ネットスポーツ投擲体を通過させる必要がある少なくとも１つのネットスポーツピッチのネットを形成し、少なくとも２つのネットスポーツピッチがこのようにして、直交軸線に沿って延在するように形成され、
−相互に平行である２つの連続する隅角のセクション延長部は、ゴールが垂直であり、地面を起点とするゴールスポーツ用ピッチと、ゴールが水平であり、ある高さに位置決めされるゴールスポーツ用ピッチと、を含む追加の正方形または長方形ゴールスポーツエリアの２つの対向する制限部をさらに形成する。
【００２５】
特定の実施形態では：
−第１のゴールスポーツエリアの各隅角の領域では、２つの壁セクションが、２つの直交軸線に従って設定されて当該隅角を形成し、各隅角は、当該隅角から第１のゴールスポーツエリアの外側に向かって続いているセクション延長部を当該隅角のそれぞれの設定された軸線の延長部に含み、
−各隅角について、各セクション延長部は、ネットを越えて、ネットスポーツ投擲体を通過させる必要がある少なくとも１つのネットスポーツピッチのネットを形成し、少なくとも２つのネットスポーツピッチがこのようにして、直交軸線に沿って延在するように形成され、
−セクション延長部について、相互に平行である連続する隅角の各対は、ゴールが垂直であり、地面を起点とするゴールスポーツ用ピッチと、ゴールが水平であり、ある高さに位置決めされるゴールスポーツ用ピッチと、を含む追加の正方形または長方形ゴールスポーツエリアの２つの対向する制限部をさらに形成する。
【００２６】
第１のゴールスポーツエリアを取り囲む壁セクションにより形成されるネットの上縁部、およびセクション延長部により形成されるネットの上縁部は、異なるネットスポーツにおけるネットの高さに対応する地面に対する高さにある。例えば、垂直ゴールが配置される壁セクションにより形成されるネットの上縁部は、男性のバレーボールネットの高さ（２．４３ｍ）とすることができる、およびまたは女性のバレーボールネットの高さ（２．２４ｍ）とすることができる。壁セクションの前方に、バスケットボールパネルおよびバスケットボールリングが位置している当該壁セクションにより形成されるネットの上縁部は、バドミントンネットおよびセパタクローネットの高さ（１．５２４ｍ）、および／またはテニスネットの高さ（０．９１４ｍ）とすることができる。子供、成人、高齢者、または障害者が当該スポーツを練習するのを容易にするために、当該高さを低くすることができる。
【００２７】
特定の実施形態では、垂直壁セクションにより形成されるネット、およびセクション延長部により形成されるネットのいずれも上縁部を、垂直壁セクションにより形成される他のネット、およびセクション延長部により形成される他のネットのいずれとも地面に対する同じ高さに有することがない。
【００２８】
特定の実施形態によれば、各壁セクションについて、壁セクションにより形成されるネットまたはネット群、および当該壁セクションの延長部により形成されるネット群は、上縁部を地面に対して同じ高さに有して、複数の同一ネットスポーツピッチを平行に同じ軸線方向に設定することができることにより同じスポーツを当該同一ネットスポーツピッチで同時に練習することができる。
【００２９】
特定の実施形態では、第１のゴールスポーツエリアの第１の壁セクションにより形成されるネットまたはネット群の上縁部は、第１のセクションと直交する第２の壁セクションにより形成されるネットまたはネット群の上縁部の地面に対する高さとは異なる地面に対する高さにあり、当該異なる高さは、異なるネットスポーツの練習に好適である。
【００３０】
特定の実施形態では、隅角をセクション延長部が起点とする第１のゴールスポーツエリアの各隅角について、隅角を起点とするセクション延長部により形成されるネットは、同じ隅角を起点とする他方のセクション延長部により形成されるネットの上縁部の地面に対する高さとは異なる地面に対する高さにある上縁部を有し、当該異なる高さは、異なるネットスポーツの練習に好適である。
【００３１】
特定の実施形態では、壁セクション延長部は、異なる長さである。
【００３２】
特定の実施形態では、異なるスポーツピッチの地面は、「ｂｅａｃｈ  ｖｏｌｌｅｙｂａｌｌ（ビーチバレーボール）」またはビーチバドミントンのような「ｂｅａｃｈ  ｓｐｏｒｔｓ（ビーチスポーツ）」練習用の砂のような緩和材料により形成される。
【００３３】
図の説明
本発明は、非限定的に与えられ、図を参照して与えられる以下の説明を読み取ると、より良く理解されるであろう。
【図面の簡単な説明】
【００３４】
【図１】垂直壁で取り囲まれるゴールスポーツピッチを含む第１の正方形ゴールスポーツエリアを備えるマルチスポーツ複合施設全体の平面図であり、マルチスポーツ複合施設の異なるセクションは、第１のエリアの隅角を起点とする延長部を、セクションの設定された軸線の延長部に有するのみならず、当該壁の様々なセクションのいずれの側でも設定され、壁のセクションの様々な延長部のいずれの側だけでなく、相互に平行である連続する隅角の各対のセクション延長部の間で設定される第１のエリアに追加される他のゴールスポーツエリアのいずれの側でも設定されるネットスポーツピッチを有する。
【図２】４種類の異なるスポーツを、当該スポーツ群のうち１種類のスポーツをマルチスポーツ複合施設で一度に練習するときに練習することができる場合の本発明が関わるマルチスポーツ複合施設の異なる可能な使用構成を示している。
【図３】２種類の異なるスポーツをマルチスポーツ複合施設で同時に練習するときの本発明が関わるマルチスポーツ複合施設の異なる可能な使用構成を示している。
【図４】３種類の異なるスポーツをマルチスポーツ複合施設で同時に練習するときの本発明が関わるマルチスポーツ複合施設の異なる可能な使用構成を示している。
【図５】４種類の異なるスポーツをマルチスポーツ複合施設で同時に練習するときの本発明が関わるマルチスポーツ複合施設の異なる可能な使用構成を示している。
【発明を実施するための形態】
【００３５】
発明の詳細な説明
図は寸法通りになっていないことが直ぐに分かるであろう。
【００３６】
より一般的な態様では、本発明の範囲は、非限定的な例を通して上に説明される実施形態に限定されることがなく、代わりに、当業者の能力内の全ての変形を包含する。１つの実施形態の各特徴は、単独で、または任意の他の実施形態の任意の他の特徴と組み合わせて、有利になるように実現することができる。
【００３７】
図１は、本発明の特定の実施形態によるマルチスポーツ複合施設２０を示している。当該マルチスポーツ複合施設２０は、ゴールスポーツ用およびネットスポーツ用の複数の異なるピッチからなる。当該複合施設は、垂直壁２２によって区切られる第１の正方形ゴールスポーツエリア２１を備え、当該第１のゴールスポーツエリア２１は、ゴールが垂直であり、地面を起点とするゴールスポーツ用ピッチ２３と、ゴールが水平であり、ある高さに位置決めされるゴールスポーツ用ピッチ２４と、を含む。
【００３８】
第１のゴールスポーツエリア２１を取り囲む垂直壁２２のセクションは、ネットを越えて、ネットスポーツ投擲体を通過させる必要がある複数のネットスポーツピッチ２５のネットを形成し、当該ネットスポーツピッチ２５は、垂直壁２２のセクションのいずれの側にも配置される。図１では、各垂直壁２２セクションは、２つのネットスポーツピッチ２５のネットを形成する。選択される第１のゴールスポーツエリア２１の水平寸法、および選択されるネットスポーツピッチ２５の寸法に応じて、各垂直壁２２セクションは、２つよりも多くのネットスポーツピッチ２５のネットを形成することができる。
【００３９】
第１のゴールスポーツエリア２１の４つの隅角の領域では、２つのセクションが２つの直交軸線に従って設定されて各隅角を形成するようにし、各隅角は、セクション延長部２６を当該隅角のそれぞれの設定された軸線の延長部に含み、当該延長部２６は、当該隅角から第１のゴールスポーツエリア２１の外側に向かって続いている。
【００４０】
各セクション延長部２６は、少なくとも１つのネットスポーツピッチ２５のネットを形成し、ネットを越えて、ネットスポーツ投擲体を通過させる必要があり、２つのネットスポーツピッチ２５がこのようにして、直交軸線に沿って延在するように形成される。各延長部２６は、１つよりも多くのネットスポーツピッチ２５のネット、例えば２つ、または３つのネットスポーツピッチ２５、またはより多くのネットスポーツピッチ２５のネットを形成することができる。
【００４１】
さらに、各垂直壁２２セクションにより形成される、または各セクション延長部２６により形成されるネットはそれぞれ、ネットの上縁部を互いに対して、地面に対して異なる高さに有することができる。このようなことから、選択される第１の競技エリア２１の水平寸法、選択されるネットスポーツピッチ２５の寸法、および各垂直壁２２セクションにより形成され、ネットスポーツピッチ２５の各々の各セクション延長部２６により形成されるネットについて選択される高さ（異なる可能性がある）に応じて、複数の異なるネットスポーツをマルチスポーツ複合施設２０で同時に練習することができる、または練習することができない。例えば、２、３、４、または５種類の異なるネットスポーツは、マルチスポーツ複合施設２０で同時に練習することができる、または練習することができない。
【００４２】
連続する隅角の各対が、垂直壁２２のセクションにより形成される場合、相互に平行である２つの連続する隅角のセクション延長部２６は、ゴールが垂直であり、地面を起点とするゴールスポーツ用ピッチ２３と、ゴールが水平であり、ある高さに位置決めされるゴールスポーツ用ピッチ２４と、を備える追加の正方形または長方形ゴールスポーツエリア２７の２つの対向する制限部を形成する。
【００４３】
１つの実施形態によれば、各壁セクションについて、壁セクションにより形成されるネットまたはネット群、および当該壁セクションの延長部により形成されるネット群は、複数の同一ネットスポーツピッチ２５を平行に、同じ軸線方向に設定すること、およびひいては、同じスポーツを当該同一ネットスポーツピッチ２５で同時に練習することを可能にするために、地面に対する同じ高さに上縁部を有する。第１のゴールスポーツエリア２１の第１の壁セクションにより形成されるネットの上縁部、および当該第１のセクションの延長部２６により形成されるネットの上縁部は、第１のセクションと直交する第２の壁セクションにより形成されるネットの上縁部、および当該第２のセクションの延長部２６により形成されるネットの上縁部の地面に対する高さとは異なる地面に対する高さにあり、当該異なる高さは、異なるネットスポーツを練習するのに好適である。実際、平行セクションの各対、およびその延長部２６（同様に平行である）について、当該平行セクションにより形成されるネットの上縁部、および平行セクションの延長部により形成されるネットの上縁部は、地面に対して同じ高さにある。
【００４４】
このように、この実施形態によれば、第１のネットスポーツＸ（例えば、バレーボール）は、第１のセクションおよび第１のセクションの延長部２６のいずれの側にも配置されるネットスポーツピッチ２５で競技することができ、第１のセクションに平行なセクション、および当該平行セクションの延長部２６のいずれの側にも配置されるネットスポーツピッチ２５で競技することもできる。第１とは異なる第２のネットスポーツＹ（例えば、バドミントン）は、２つの他の平行セクションの各々、およびその延長部２６のいずれの側にも配置されるネットスポーツピッチ２５で競技することができる。
【００４５】
４種類の異なるスポーツ（水平ゴールを有するゴールスポーツ、垂直ゴールを有するゴールスポーツ、ネットスポーツＸおよびネットスポーツＹ）を練習することができる場合の上の実施形態によるマルチスポーツ複合施設２０の可能な構成は、１種類の当該スポーツをマルチスポーツ複合施設で一度に練習する場合の図２に示されており、２種類の異なるスポーツを同時に練習する（例えば、２つのクラスが２種類の異なるスポーツをマルチスポーツ複合施設で競技したいと考える場合の学校において）ことが必要な場合の図３に示されており、３種類の異なるスポーツを同時に練習することが必要な場合の図４に示されており、４種類の異なるスポーツを同時に練習することが必要な場合の図５に示されている。
【００４６】
水平ゴールを有するゴールスポーツはバスケットボールとすることができ、垂直ゴールを有するゴールスポーツはフットボールとすることができ、ネットスポーツＸはバレーボールとすることができ、ネットスポーツＹはバドミントンとすることができる。
【００４７】
１種類のスポーツを一度に練習する場合（図２）、５つのピッチを、垂直ゴールを有するゴールスポーツに同時に使用することが可能である、または５つのピッチを、水平ゴールを有するゴールスポーツに同時に使用することが可能である、または８つのピッチを、ネットスポーツＸまたはＹに同時に使用することが可能であることに留意されたい。
【００４８】
さらに、２種類の異なるスポーツを同時に練習するために（図３）、選択されるスポーツに応じて最大で７つのピッチを同時に使用することが可能であることに留意されたい。同じことが、３種類の異なるスポーツを同時に練習する場合に当てはまる（図４）。
【００４９】
４種類の異なるスポーツを同時に練習するために（図５）、選択されるスポーツに応じて、最大で６つのピッチを同時に使用することが可能である。
【符号の説明】
【００５０】
２０  マルチスポーツ複合施設
２１  第１のゴールスポーツエリア
２２  垂直壁
２３、２４  ゴールスポーツ用ピッチ
２５  ネットスポーツピッチ
２６  セクション延長部
２７  ゴールスポーツエリア
【先行技術文献】
【特許文献】
【００５１】
【特許文献１】米国特許第３４５２９８５号明細書
【特許文献２】米国特許第４１０８４３４号明細書
【特許文献３】米国特許第４５６９５１５号明細書
【特許文献４】英国特許出願公開第２４４８９８９号明細書
【特許文献５】欧州特許第２５９１８３０号明細書
【特許文献６】欧州特許第２３８８０５１号明細書
【図１】
2020527086.tif 000003
【図２】
2020527086.tif 000004
【図３】
2020527086.tif 000005
【図４】
2020527086.tif 000006
【図５】
2020527086.tif 000007
【国際調査報告】
2020527086.tif 000008
2020527086.tif 000009
2020527086.tif 000010
2020527086.tif 000011